(57)【特許請求の範囲】
【請求項１】
上面および下面が開口した略直方体状の散水栓ボックス本体と、この散水栓ボックス本体の下部に係脱自在に接合される略矩形形状の底板体と
を備え、
前記底板体は、底板部の周縁に沿って側壁を形成し、上面を開口した箱状とし、
前記散水栓ボックス本体または底板体との少なくともいずれかの一辺の略中央に水道管挿通孔を設け、
前記底板体の底板部の上面には、前記水道管挿通孔の軸線上に位置して、散水栓ボックス本体の内部に配設される散水栓を接続する座付継手固定用の台座を一体に設けた
ことを特徴とする散水栓ボックス。
【請求項２】
底板体の上面開口部に、散水栓の基部よりも下部を覆う中蓋を配設し、この中蓋に排水部を形成した
ことを特徴とする請求項１記載の散水栓ボックス。
【請求項３】
底板体の側壁に、排水管接続孔部を形成した
ことを特徴とする請求項１または２に記載の散水栓ボックス。
【請求項４】
上面および下面が開口した略直方体状の散水栓ボックス本体と、この散水栓ボックス本体の下部に係脱自在に接合される略矩形形状の底板体と
を備え、
前記底板体は、平板状とし、
前記散水栓ボックス本体の一辺の略中央に水道管挿通孔を設け、
前記底板体の底板部の上面には、前記水道管挿通孔の軸線上に位置して、散水栓ボックス本体の内部に配設される散水栓を接続する座付継手固定用の台座を一体に設けた
ことを特徴とする散水栓ボックス。
【請求項５】
座付継手を固定する台座は、水道管挿通孔の軸線上に位置して底板部の上面に二ヶ所に設けた
ことを特徴とする請求項１ないし４のいずれかに記載の散水栓ボックス。
【発明の詳細な説明】
【０００１】
【発明の属する技術分野】
本発明は散水栓の固定を容易に行うことができる散水栓ボックスに関する。
【０００２】
【従来の技術】
従来、散水栓ボックスは上面および下面が開口した略直方体状の構造が採られている。そして、散水栓ボックスを設置する際の施工は、例えば、散水栓の取付位置の地面に穴を掘り、この穴内に水道管を延長して先端を立ち上げ、この立ち上げた水道管の先端に水栓ソケットを接続し、この水栓ソケットの散水栓接続受口の雌ねじに散水栓を螺合して水栓ソケットに散水栓を取付け、この散水栓の基部まで土を埋め戻してこの土を突き固め、散水栓を散水栓ボックスの内側に配設させてこの散水栓ボックスの上面を地表面に合わせて設置し、散水栓ボックスの外蓋が地表面に表れるように埋め戻し、さらに、散水栓ボックスの内部に砂利を敷設する方法か、または、散水栓の取付位置の地面に穴を掘り、この穴内で水道管を延長して先端を立ち上げ、この立ち上げた水道管の先端に水栓ソケットを接続し、この水栓ソケットの散水栓接続受口の雌ねじに散水栓を螺合して水栓ソケットに取付け、内側に散水栓が配設されるように地表面に合わせて散水栓ボックスを設置し、この散水栓ボックスの外蓋が地表面に表れるように埋め戻し、散水栓ボックスの内部の散水栓の基部までコンクリートを打設して散水栓を固定するという方法が採られていた。
【０００３】
また、従来、水道管の先端が立ち上げられない場合には、水栓エルボの水道管接続受口を水道管の先端部に接続し、この水栓エルボの他端の散水栓接続受口に散水栓を接続し、散水栓ボックスを設置して埋め戻し、散水栓ボックス内部に砂利を敷設するかコンクリートを打設して散水栓を固定する方法が採られていた。
【０００４】
【発明が解決しようとする課題】
上記従来の散水栓の基部まで埋め戻して突き固めてから散水栓ボックスを設置する施工方法では、散水栓ボックスに対して散水栓の位置が決まらず、散水栓を接続した散水栓ボックス内の散水栓は、突き固めるとともに表面に砂利を積層し、土中に埋込み固定されるのみで、安定せずにぐらつく恐れがあり、また、散水栓の基部をコンクリートの打設により固定する施工方法では、散水栓のぐらつきは防止できるが、コンクリートを打設する必要があり、また散水栓ボックスに対して散水栓の位置が定まらないという問題がある。
【０００５】
さらに、散水栓の散水口は地表面から垂直方向に対して斜め上方に向けられているため、散水栓を散水栓ボックスの略中央部分に配設した場合、散水口の先端が散水栓ボックスの一端側の側壁に近接しすぎて散水口にホースを接続することが困難になるという問題が生じ、また、散水栓ボックスの長手側中央部よりも短手側一端部寄りに散水栓を配設した場合、散水栓の接続方向は散水口が散水栓ボックスの短手側他端部に向く一方向のみに限定されてしまうという問題が生ずる。
【０００６】
本発明は上記問題点に鑑みなされたもので、散水栓ボックスに対する散水栓の位置決めを確実に行うことができ、散水栓を安定した状態で固定でき、散水栓の接続方向を選択可能な散水栓ボックスを提供するものである。
【０００７】
【課題を解決するための手段】
請求項１記載の発明の散水栓ボックスは、上面および下面が開口した略直方体状の散水栓ボックス本体と、この散水栓ボックス本体の下部に係脱自在に接合される略矩形形状の底板体とを備え、前記底板体は、底板部の周縁に沿って側壁を形成し、上面を開口した箱状とし、前記散水栓ボックス本体または底板体との少なくともいずれかの一辺の略中央に水道管挿通孔を設け、前記底板体の底板部の上面には、前記水道管挿通孔の軸線上に位置して、散水栓ボックス本体の内部に配設される散水栓を接続する座付継手固定用の台座を一体に設けたものである。
【０００８】
そして、散水栓ボックス本体と接合される底板体の底板部に設けた台座に座付継手を固定し、この台座に固定された座付継手に散水栓を取付けることにより散水栓は位置決めされて確実に固定できる。なお、この状態で散水栓を接続した水道管は、散水栓ボックス本体または底板体との少なくともいずれかの一辺の略中央に設けた水道管挿通孔から散水栓ボックス本体の内方に引き込まれている。また、散水栓ボックスの設置に際して、地面に掘り下げた穴に底板体を設置して底板体の台座に座付継手を固定するときに底板体に土砂が侵入することを防止できる。なお、散水栓ボックス本体に底板部の側壁が内接する度合いによっては散水栓ボックスの高さを調節することができる。
【０００９】
請求項２記載の発明の散水栓ボックスは、請求項１記載の発明において、底板体の上面開口部に、散水栓の基部よりも下部を覆う中蓋を配設し、この中蓋に排水部を形成したものである。
【００１０】
そして、底板体の上面部に中蓋を設けたことにより、排水栓が中蓋にて確実に所定位置に固定されるとともに、中蓋に排水部を設けたことにより、中蓋上に水が溜まることがなく、また、散水栓の基部が中蓋にて覆われ、外観を良好にすることができる。
【００１１】
請求項３記載の発明の散水栓ボックスは、請求項１または２に記載の散水栓ボックスにおいて、底板体の側壁に、排水管接続孔部を形成したものである。
【００１２】
そして、排水管接続孔部を底板体の底板部に設け、この排水管接続孔部に排水管を配管することにより、底板体内部に溜まった水を散水栓ボックスの外部に確実に排出することができる。
【００１３】
請求項４記載の発明の散水栓ボックスは、上面および下面が開口した略直方体状の散水栓ボックス本体と、この散水栓ボックス本体の下部に係脱自在に接合される略矩形形状の底板体とを備え、前記底板体は、平板状とし、前記散水栓ボックス本体の一辺の略中央に水道管挿通孔を設け、前記底板体の底板部の上面には、前記水道管挿通孔の軸線上に位置して、散水栓ボックス本体の内部に配設される散水栓を接続する座付継手固定用の台座を一体に設けたものである。
【００１４】
そして、散水栓ボックス本体と接合される底板体の底板部に設けた台座に座付継手を固定し、この台座に固定された座付継手に散水栓を取付けることにより散水栓は位置決めされて確実に固定できる。
【００１５】
請求項５記載の発明の散水栓ボックスは、請求項１ないし４のいずれかに記載の散水栓ボックスにおいて、座付継手を固定する台座は、水道管挿通孔の軸線上に位置して底板部の上面に二ヶ所に設けたものである。
【００１６】
そして、水道管挿通孔の軸線上に位置して底板体の底板部に設けた二ヶ所の台座を、散水口の方向に応じて選択することにより、散水口を二方向の任意の方向に向けて散水栓を接続できる。
【００１７】
【発明の実施の形態】
次に本発明の散水栓ボックスの一実施の形態を図面に基いて説明する。
【００１８】
図２および図３において、散水栓ボックス本体１は合成樹脂にて成型され、この散水栓ボックス本体１は外形が略直方体形状で、上面には略矩形形状の上面開口部２が、下面には略矩形形状の下面開口部３が形成され、この両開口部２，３が貫通している。また、この散水栓ボックス本体１の下端外周縁部にはフランジ部４が突出形成され、さらに、この散水栓ボックス本体１の長手側上端部近傍の外側には、突縁部５が水平方向に突出形成されている。
【００１９】
そして、この散水栓ボックス本体１の上面開口部２の内側には、長手側に沿って外蓋受け係止段部６が水平方向に突出形成されており、この外蓋受け係止段部６に、散水栓ボックス本体１の上面開口部２に嵌着した略矩形形状の外蓋７がこの散水栓ボックス本体１の上面と同一面となるように開閉自在に係止される。
【００２０】
また、図４および図５において、底板体８は合成樹脂にて成型され、この底板体８は、板状で略矩形形状の底板部９を有し、底板部９の周縁に沿って側壁10が上方に向かって略垂直状に形成され、底板体８は上面が略矩形形状に開口した箱状に形成されている。また、この側壁10の外周縁部には、前記散水栓ボックス本体１のフランジ部４と接合するフランジ部11が水平状に突出形成されている。そして、この底板体８には、フランジ部11から上部に側壁10の延長上に位置して略垂直方向に、前記散水栓ボックス本体１の下面開口部３に係脱自在に嵌合する嵌合縁13が突出形成されている。
【００２１】
また、前記底板体８の短手側における一方の辺の側壁10の幅方向略中央部に位置して、上方に向かって開放した略Ｕ字形の水道管挿通孔14が設けられている。
【００２２】
そして、前記底板体８の底板部９の上面において、底板部９の相対する短手側の側壁10の中央部を結ぶ前記水道管挿通孔14の軸線上でかつ中心部を挟んだ位置に、座付継手16を固定するための台座17，18がそれぞれ一体に設けられている。この各台座17，18は平面形状が矩形形状であり、底板部９に比して若干高さ方向の厚さを有している。そして、各台座17，18にはタッピングねじ27を挿通して台座17または台座18に固定する取付孔26が複数上下方向に形成されている。
【００２３】
そして、図１に示すように、散水栓ボックス本体１の水道管挿通孔14を設けた側壁10側に位置する一方の台座17から底板部９の長手側中央部までの寸法Ｌ１よりも、底板部９の長手側中央部より水道管挿通孔14を設けた側壁10と反対の側壁10側に位置する他方の台座18から底板部９の長手側中央部までの寸法Ｌ２を短かくして、水道管接続受口21を水道管挿通孔14が設けられた側壁10に向けて座付継手16を台座17または台座18のいずれかに固定した場合にも、散水栓接続受口20の中心が底板部９の長手側中央部から略等しい寸法Ｌ３の位置となるようにする。
【００２４】
また、図１ないし図３において、前記台座17または台座18に固定される座付継手16は合成樹脂にて形成され、下部に位置して水平方向に開口した水道管接続受口21と、この水道管接続受口21に連通し略Ｌ字形に屈曲した連通路によって上方に向けて開口した前記散水栓接続受口20とを有している。この水道管接続受口21の内周部は、たとえば合成樹脂製の水道管15が嵌合接着して接続され、また、この散水栓接続受口20の開口内部には、砲金にて形成し、かつ内周部にねじ溝が螺刻されたねじ部22がインサート固定され、このねじ部22に散水栓23の基部に形成したねじ部24を螺合して散水栓23を座付継手16に接続する。
【００２５】
また、座付継手16の下部両側部には連通路の軸方向と直交して矩形板状の止め座25が突出形成されている。この止め座25には、タッピングねじ27を挿通して台座17または台座18に固定する取付孔（図示せず）が複数上下方向に貫通形成されている。
【００２６】
また、前記座付継手16に接続される散水栓23は、略中央部から、散水口部28が斜め上方に向けて突出形成され、下端基部には、前記座付継手16の散水栓接続受口20に接続される基部接続口29が開口され、その下端基部の外周には、前記座付継手16の散水栓接続受口20のねじ部22に螺合されるねじ部24が形成されている。そして、この散水栓23の先端の散水口30と基部接続口29とを連通する流路の中間部には開閉弁が設けられ、この開閉弁を開閉する開閉弁調節ハンドル32が前記基部接続口29の軸線上に設けられている。
【００２７】
次に、この実施の形態の作用を説明する。
【００２８】
まず、散水栓23の設置位置に底板体８を設置し、この底板体８の水道管挿通孔14より水道管15を挿通させ、水道管接続受口21を側壁10の水道管挿通孔14に向けるとともに、散水栓23の散水口30を向ける方向に応じて台座17または台座18のいずれか一方に座付継手16を仮固定して座付継手16の水道管接続受口21と接続可能な長さまで水道管15を底板体８の内部に導入する。
【００２９】
次に、座付継手16の散水栓接続受口20のねじ部22に散水栓23のねじ部24を螺合して散水栓23を座付継手16に接続し、座付継手16の止め座25上に貫通した取付孔（図示せず）を台座17または台座18上の取付孔26の位置に合わせて、タッピングねじ27を螺合し、座付継手16を台座17または台座18に固定する。
【００３０】
そして、散水栓23の散水口30の向きを水道管挿通孔14を設けた一方の側壁10と反対側に向けるときには、底板体８の底板部９の長手側中央部より一方の側壁10側の台座17に固定し、また、散水栓23の散水口30の向きを水道管挿通孔14を設けた一方の側壁10側に向けるときには、底板体８の底板部９の長手側中央部より他方の側壁10側の台座18に固定する。すなわち、座付継手16は、散水栓23の散水口30の向きと反対側に位置する台座17または台座18に固定する。
【００３１】
散水栓ボックス本体１の水道管挿通孔14を設けた側壁10側に位置する一方の台座17と底板部９の長手側中央部までの寸法Ｌ１よりも、底板部９の長手側中央部より水道管挿通孔14を設けた一方の側壁10と反対側の側壁10側に位置する他方の台座18から底板部９の長手側中央部までの寸法Ｌ２が短かく、座付継手16を、水道管接続受口21を水道管挿通孔14の設けられた側壁10に向けて、台座17または台座18のいずれに固定した場合にも、散水栓接続受口20の中心が底板部９の長手側中央部から略等しい寸法Ｌ３の位置となり、散水栓23は散水口30の向きと反対側の台座17または台座18に固定されるため、散水口30の先端が散水栓ボックス本体１の一端側の側壁または他端側の側壁に近接しすぎて散水口30にホースを接続することなどが困難になることが生ずることはない。
【００３２】
次に、水道管挿通孔14から挿通した水道管15の先端部外周に接着剤を塗布し、また、座付継手16の水道管接続受口21に接着剤を塗布し、底板体８を移動させて接着剤の塗布された水道管15の先端部外周と水道管接続受口21の内周面とを接合し、座付継手16と水道管15とを接続する。
【００３３】
次に、散水栓ボックス本体１の下面開口部３に底板体８の嵌合縁13を嵌挿し、散水栓ボックス本体１のフランジ部４と底板体８のフランジ部11とを当接させて接合する。次に、散水栓ボックス本体１に係止した外蓋７が地表面に表れるように、散水栓の設置位置に散水栓ボックスを埋め戻し、周囲の地面を付き固めて散水栓ボックスを固定する。そして、散水栓ボックス本体１の上部開口部には、周縁部が外蓋受け係止段部６に当接した状態で、外蓋７を開閉自在に係止する。
【００３４】
また、水道管15の引き込み方向に合わせて、底板体８の向きを左右反転させた状態で底板部９上に座付継手16を固定し、座付継手16を固定した底板体８に散水栓ボックス本体１を設置する。
【００３５】
なお、タッピングねじ27にて座付継手16を台座17または台座18に固定するとき、台座17または台座18上のねじ螺合位置にあらかじめ取付孔26を開けておくことによりタッピングねじ27の螺合作業が容易になる。
【００３６】
なお、この実施の形態においては、散水栓ボックス本体１のフランジ部４と底板体８のフランジ部11との間にスペーサを挟み込むなどの方法により散水栓ボックスを高さ方向に伸長させて、散水栓ボックスの上面を地表面に合わせるように調節できる。
【００３７】
次に、本発明の他の実施の形態を図６に基づいて説明する。
【００３８】
この実施の形態は、底板体８の上面開口部に散水栓23の基部よりも下部を覆う中蓋33を配設したものである。この中蓋33は、合成樹脂にて略矩形の板状に形成され、外周形状は、フランジ部11の高さ位置における側壁10の内周に嵌合できる形状に形成されている。この中蓋33の短手側中心線上の一端部近傍には、円形の排水部となるドレン部34が目皿状に表裏面挿通開口し、砂利やごみが底板体８の内部に入り込むことを防止する。
【００３９】
また、この中蓋33の短手側中心線上のドレン部34よりも中央部寄りで、台座17または台座18上に固定された座付継手16の散水栓接続受口20に対向する部分には、散水栓23の基部のねじ部24を挿通できる径の大きさの散水栓挿通孔35が円形に開口している。
【００４０】
また、前記底板体８の側壁10の内面部には、前記中蓋33の周縁部を間欠的に係止するための複数の係止リブ36が底板体８の内周方向に向けて突出形成されている。
【００４１】
また、前記底板体８の底板部９の四隅近傍には、円形に開口し、またはノックアウト方式の水抜き孔部37が形成されている。その他の構成は、図１ないし図５に示す前記実施の形態と同一である。
【００４２】
次に、この実施の形態の作用を説明する。
【００４３】
この実施の形態では、座付継手16を底板体８の台座17または台座18に固定し、この座付継手16に水道管挿通孔14から挿通した水道管15を接続した後、底板体８内に、中蓋33を、散水栓挿通孔35が散水栓接続受口20に合致する向きに合わせて配設する。中蓋33は、底板体８の内周部に突出する係止リブ36の上面によって、フランジ部11と略同じ高さ位置で係止される。そして、散水栓挿通孔35の内周部分から上方に開口した散水栓接続受口20に散水栓23の基部を挿通し、ねじ部22に散水栓23のねじ部24を螺合して、中蓋33が散水栓23の基部フランジ部23aと底板部８の係止リブ36とによって上下方向から挟着固定されることによって、散水栓23も中蓋33の散水栓挿通孔35に係止されて確実に固定され、また、散水栓23の基部フランジ部23aよりも下方は中蓋33によって覆われた状態となる。
【００４４】
また、中蓋33の外周形状は略矩形形状で、中蓋33の散水栓挿通孔口35は、散水栓挿通孔35が底板体８の水道管挿通孔14が設けられた一端側の側壁10側、またはこの一端側と反対の他端側の側壁10側のどちらに向いた状態であっても、座付継手16の散水栓接続受口20に合致する。すなわち、水道管接続受口21を水道管挿通孔14が設けられた側壁10に向けて座付継手16を台座17または台座18のいずれかに固定した場合にも、散水栓接続受口20の中心が底板部９の長手側中央部から略等しい、図１において示す寸法Ｌ３の位置となるため、座付継手16が台座17または台座18のいずれに固定された場合であっても、散水栓挿通孔35が散水栓接続受口20が開口する位置にくるように、中蓋33を底板体８の内部に配設することができる。
【００４５】
そして、中蓋33にドレン部34が開口形成していることにより中蓋33上に溜まった水はドレン部34を経て中蓋33上から底板体８の底板部９上へと流出する。さらに、底板部９に水抜き孔部37が開口されていることにより、底板体８内部に溜まった水は水抜き孔部37より底板体８の外部へと浸透する。その他の実施の形態の作用は、図１ないし図５において示す実施の形態の作用と同一である。
【００４６】
また、この実施の形態においては、中蓋33の散水栓挿通孔35の直径は散水栓23の基部フランジ部23aの直径よりも大きくすることができ、底板部８の係止リブ36上に支持される。
【００４７】
次に、本発明の他の実施の形態を図７および図８に基づいて説明する。
【００４８】
この実施の形態は、図６において示した実施の形態において、底板体８の底板部９に開口した水抜き孔部37に代えて、底板体８の長手側の各側壁10の外側面部の両側に、受け口となる略円筒状の排水管接続孔部38を複数突出形成したものである。この排水管接続孔部38の外端部分には排水管接続口39が開口し、排水管接続孔部38はノックアウト方式、またはホールソーによって開口される。なお、前記排水管接続孔部38はあらかじめ開口形成してもよい。その他の構成は、図６に示す前記実施の形態と同一である。
【００４９】
次に、この実施の形態の作用を説明する。
【００５０】
この実施の形態では、底板体８の側壁10の両方の長手側外側面部に複数突出形成された排水管接続孔部38のうち、排水管（図示せず）を接続する側の排水管接続孔部38の内端部が閉塞している場合には開口する。そして、この排水管接続孔部38には、排水管接続口39から排水管（図示せず）を嵌挿接着して接続し、底板体８の内部に溜まった水は排水管接続孔部38から排水管（図示せず）へと流出するようにする。その他の実施の形態の作用は、図６において示す実施の形態の作用と同一である。
【００５１】
また、他の実施の形態について図９に基づいて説明する。
【００５２】
この実施の形態では、図９に示すとおり、散水栓ボックス本体１と底板体８との間に調整枠40を配設する。この調整枠40は、上面および下面が開口した略直方体形状で、この調整枠40の外周部41の上端には段差が設けられて係止段部42を形成し、この係止段部42から上部に外周部41の延長上であって係止段部42の内周側端部には、前記散水栓ボックス本体１の下面開口部３に係脱自在に嵌合する嵌合縁43が略垂直方向に突出形成されている。
【００５３】
次に、この実施の形態の作用を説明する。
【００５４】
この場合の実施の形態の作用においては、底板体８の嵌合縁13に調整枠40の下面開口部を嵌合し、この調整枠40の外周部41の下端部と底板体８のフランジ部11とを当接させ接合する。そして、この調整枠40の嵌合縁43を散水栓ボックス本体１の下面開口部３に嵌挿し、この調整枠40の係止段部42と散水栓ボックス本体１のフランジ部４とを当接させ接合することにより、水道管15が深い位置に設置されている場合であっても、散水栓ボックス本体１の高さを適宜調節して、散水栓ボックスを配設することができる。その他の実施の形態の作用は、図７および図８において示す実施の形態の作用と同一である。なお、図９に示す実施の形態は、図７および図８の実施の形態に基づいて説明したが、この図９に示した調整枠40は、図１ないし図６に示す実施の形態においても用いることができる。
【００５５】
なお、図１ないし図５に示す各実施の形態においては、水道管挿通孔14を底板体８の側壁10の上方に向けて略Ｕ字形に開口した構成について説明したが、この水道管挿通孔14は略円形に開口することもできる。一方、図６ないし図９に示す各実施の形態においては、水道管挿通孔14を底板体８の側壁10に略円形に開口した構成について説明したが、この水道管挿通孔14は側壁10の上方に向けて略Ｕ字形に開口することもできる。
【００５６】
また、図１ないし図９に示す各実施の形態においては、底板体８の側壁10に水道管挿通孔14を形成したが、散水栓ボックス本体１の一方の短手側幅方向の略中央部であって底板体８との係合部近傍に位置して、下方に向かって開放した略逆Ｕ字形状の水道管挿通孔14を設けることもできる。
【００５７】
この実施の形態では、底板体８に散水栓ボックス本体１を接合する際に、散水栓ボックス本体１の水道管挿通孔14に、底板体８上に固定されている水道管15を合わせて挿通する。
【００５８】
また、図１ないし図９に示す各実施の形態においては、水道管15を合成樹脂にて成形した場合について説明したが、本発明の実施の形態において、水道管15は合成樹脂以外の材料で成形した場合、たとえば金属製の水道管15の場合には、水道管接続受口21にねじ溝が刻設されている座付継手16を金属にて形成し、水道管接続受口21と水道管15の接続は、水道管接続受口21に、前記水道管15の先端部に形成されたねじ部24を螺合して水道管15と座付継手16とを接続する。
【００５９】
また、図１ないし図９に示す各実施の形態においては、底板体８の一方の短手側の側壁10の幅方向略中央部に、上方に向かって開放した略Ｕ字形状の水道管挿通孔14を設けるとともに、散水栓ボックス本体１の短手側幅方向略中央部に、下方向に向かって開放した略Ｕ字形状の水道管挿通孔14を設けることもできる。
【００６０】
なお、図１ないし図９に示す各実施の形態においては、水道管挿通孔14を、底板体８の側壁10、または散水栓ボックス本体１における短手側略中央部に設けたが、水道管挿通孔14は底板体８の側壁10または散水栓ボックス本体１における長手側略中央部に設け、散水栓ボックス本体１の長手側からのみ水道管15を接続するような場合に、水道管15を水道管挿通孔14に挿通して散水栓ボックスを配置することができるようにすることもできる。
【００６１】
また、図１ないし図９に示す各実施の形態においては、底板体８に嵌合縁13を上方に向けて突出形成した構成としたが、嵌合縁13は散水栓ボックス本体1のフランジ部４よりも下方に向けて散水栓ボックス本体１の側壁の延長上に突出形成した構成とすることもできる。
【００６２】
また、図１ないし図９に示す各実施の形態においては、底板体８に側壁10を突出形成した構成としたが、底板体８に側壁10を設けずに平板状とすることもでき、この実施の形態では、散水栓ボックス本体１に、下方向に向かって開放した略Ｕ字形状の水道管挿通孔14を設ける。
【００６３】
【発明の効果】
請求項１記載の発明によれば、散水栓ボックス本体と接合される底板体の底板部に設けた台座に座付継手を固定し、この台座に固定された座付継手に散水栓を取付けることにより散水栓は位置決めされて確実に固定できる。また、散水栓ボックスの設置に際して、地面に掘り下げた穴に底板体を設置して底板体の台座に座付継手を固定するときに底板体に土砂が侵入することを防止できる。なお、散水栓ボックス本体に底板部の側壁が内接する度合いによっては散水栓ボックスの高さを調節することができる。
【００６４】
請求項２記載の発明によれば、底板体の上面部に中蓋を設けたことにより、排水栓が中蓋にて確実に所定位置に固定されるとともに、中蓋に排水部を設けたことにより、中蓋上に水が溜まることがなく、また、散水栓の基部が中蓋にて覆われ、外観を良好にすることができる。
【００６５】
請求項３記載の発明によれば、排水管接続孔部を底板体の底板部に設け、この排水管接続孔部に排水管を配管することにより、底板体内部に溜まった水を散水栓ボックスの外部に確実に排出することができる。
【００６６】
請求項４記載の発明によれば、散水栓ボックス本体と接合される底板体の底板部に設けた台座に座付継手を固定し、この台座に固定された座付継手に散水栓を取付けることにより散水栓は位置決めされて確実に固定できる。
【００６７】
請求項５記載の発明によれば、水道管挿通孔の軸線上に位置して底板体の底板部に設けた二ヶ所の台座を、散水口の方向に応じて選択することにより、散水口を二方向の任意の方向に向けて散水栓を接続できる。
【図面の簡単な説明】
【図１】本発明の一実施の形態を示す散水栓ボックスの座付継手と水道管を固定した状態を示す底板体の平面図である。
【図２】同上散水栓ボックスの一部を切り欠いた縦断側面図である。
【図３】同上散水栓ボックスの一部を切り欠いた正面図である。
【図４】同底板体の平面図である。
【図５】同底板体の平面図である。
【図６】本発明の一実施の形態を示す散水栓ボックスの、座付継手と水道管を固定した状態を示す底板体の平面図である。
【図７】本発明の一実施の形態を示す散水栓ボックスの、底板体に座付継手と水道管を固定した状態での縦断側面図である。
【図８】同上散水栓ボックスの一部を切り欠いた縦断正面図である。
【図９】本発明の一実施の形態を示す散水栓ボックスの、一部を切り欠いた縦断正面図である。
【符号の説明】
１    散水栓ボックス本体
２    上面開口部
８    底板体
９    底板部
10    側壁
14    水道管挿通孔
16    座付継手
17    台座
18    台座
23    散水栓
33    中蓋
38    排水管接続孔部
【図１】
0003895963.tif 000002
【図２】
0003895963.tif 000003
【図３】
0003895963.tif 000004
【図４】
0003895963.tif 000005
【図５】
0003895963.tif 000006
【図６】
0003895963.tif 000007
【図７】
0003895963.tif 000008
【図８】
0003895963.tif 000009
【図９】
0003895963.tif 000010